(57)【要約】【課題】  電磁継電器において、電磁石装置と接点部との間に所要の絶縁距離を確保し、かつ外形寸法を増加させることなく電磁石の磁気吸引力を増大させる。【解決手段】  電磁継電器１０は、基部１２に組み込まれる電磁石装置１４と、電磁石装置１４から絶縁されて基部１２に組み込まれる接点部１６と、電磁石装置１４の作用により移動して接点部１６を開閉動作させる操作部材１８とを備える。操作部材１８は、電磁石装置１４の接極子３０に取り付けられる。操作部材１８の受容部６０は、基部隔壁２６の開口６４に配置される接極子３０の延長部分３０ｂの先端領域を受容して袋状に包囲する。それにより、接極子３０と固定接点４４及び可動接点４８との間の沿面距離が拡大され、電磁石装置１４と接点部１６との絶縁機能が向上する。接点部１６の開成中は、操作部材１８の受容部６０が、基部１２の補助隔壁６６に接触支持される。【選択図】      図５
2005071754.tif 000002
【特許請求の範囲】
【請求項１】
基部と、該基部に組み込まれる電磁石装置と、該電磁石装置から絶縁されて該基部に組み込まれる接点部と、該電磁石装置と該接点部との間に配置され、該電磁石装置の作用により移動して該接点部を開閉動作させる操作部材とを具備し、該基部が、該電磁石装置を受容する第１凹部と、該接点部を受容する第２凹部と、該第１凹部と該第２凹部とを互いに反対側に画定する隔壁とを備え、該電磁石装置が、電磁石と、該操作部材に取り付けられ、該電磁石によって駆動される接極子とを備える電磁継電器において、
前記接極子は、前記隔壁に局部的に形成される開口の近傍で前記電磁石から前記接点部に向かって延びる延長部分を備え、
前記操作部材は、前記接極子の前記延長部分を受容して包囲する受容部を備え、
前記基部は、前記隔壁から延長されて前記電磁石と前記接極子との間に介在する補助隔壁を備え、
前記接点部が開成している間、前記操作部材の前記受容部が前記基部の前記補助隔壁に接触支持されること、
を特徴とする電磁継電器。
【請求項２】
前記操作部材は、前記基部に接近する側へ局部的に延設されて、前記電磁石装置と前記接点部との間の沿面距離を拡大する延長片をさらに具備する請求項１に記載の電磁継電器。
【請求項３】
前記接極子は、前記電磁石の鉄心端面に対向配置される第１部分と、該第１部分に交差して該電磁石のコイルの側方に配置される第２部分と、該第１部分と該第２部分とを互いに一体に連結する一対の連結腕部分とを備え、それら連結腕部分が互いに異なる寸法を有する請求項１又は２に記載の電磁継電器。
【請求項４】
前記接点部が、可動接点を担持する接点ばね要素を有する可動接点部材を備えて構成される請求項１〜３のいずれか１項に記載の電磁継電器において、電磁継電器の組立時に、該可動接点部材の該接点ばね要素と前記操作部材との衝突を緩和して該操作部材の損傷を回避する案内片が、該接点ばね要素に設けられる電磁継電器。
【請求項５】
前記接点部が、一端の基板端子、他端のタブ端子及び中間の固定接点を有する固定接点部材と、一端の基板端子、他端のタブ端子及び中間の可動接点を有する可動接点部材とを備えて構成される請求項１〜４のいずれか１項に記載の電磁継電器において、前記接極子は、一端で前記電磁石の継鉄にスナップ式に嵌着される板ばねにより、該電磁石に対し揺動可能に支持される電磁継電器。
【発明の詳細な説明】
【技術分野】
【０００１】
本発明は、電磁継電器に関する。
【背景技術】
【０００２】
電磁石装置と、電磁石装置の作動に伴って開閉動作する接点部とを、共通の基部に組み込んでなる電磁継電器において、電磁石装置と接点部との間の沿面的な絶縁距離（すなわち沿面距離）を確保する目的で、電磁石装置の構成部品と接点部の構成部品とを、基部に対して互いに反対側から組み付けるようにしたものが知られている（例えば特許文献１参照）。特許文献１に記載される電磁継電器では、基部は、電磁石装置を受容する第１凹部と、接点部を受容する第２凹部と、それら第１凹部と第２凹部とを互いに反対側に画定する隔壁とを備えて構成される。基部の隔壁は、第１凹部への電磁石装置の組み付け方向と、第２凹部への接点部の組み付け方向とが、互いに逆になるように規制する形状（クランク形状と記載されている）を有する。
【０００３】
他方、接点部を構成する固定接点部材と可動接点部材との各々が、長手方向一端領域に、回路基板に接続可能な基板端子を有するとともに、長手方向他端領域に、雌型端子部品に接続可能なタブ端子を有して構成される電磁継電器は、例えば高電圧負荷開閉用途で種々開発されている。この種のタブ端子付き電磁継電器において、固定接点部材の中間領域に担持される固定接点と、可動接点部材の中間領域に担持される可動接点とが、電磁石装置が有するコイルの側方（径方向外方）で継鉄に対向する位置に配置されるとともに、電磁石装置に設けられる接極子が、その一部分でそれら固定接点及び可動接点と継鉄との間に延長される構成を有したものが知られている（例えば特許文献２参照）。特許文献２に記載される電磁継電器では、コイル径方向に見て互いに重畳するコイルと可動接点及び固定接点との間の絶縁作用を向上させる目的で、電磁石装置のコイルと継鉄との間に、基部から延設される絶縁壁が挿入配置されている。
【０００４】
さらに、上記特許文献２に記載されるようなタブ端子付き電磁継電器において、上記特許文献１に記載されるような、電磁石装置の構成部品と接点部の構成部品とを基部に対して互いに反対側から組み付ける構成を採用したものも提案されている（例えば特許文献３参照）。
【０００５】
【特許文献１】特開平１１−２１３８３３号公報
【特許文献２】特開２００１−１４９９６号公報
【特許文献３】特許第２８９３６０１号公報
【発明の開示】
【発明が解決しようとする課題】
【０００６】
前述した特許文献２に記載される電磁継電器では、電磁石装置と接点部との間の絶縁作用を向上させるべく、電磁石装置のコイルと継鉄との間に絶縁壁が配置される構成となっている。それに伴い、コイル径方向に見た電磁継電器の外形寸法（すなわち高さ方向寸法）が増加し、また所与の外形寸法制約下では、基部上でのコイルの設置空間が減少して磁気吸引力が弱くなる課題が生じる。これに対し、前述した特許文献３に記載される電磁継電器では、電磁石装置の構成部品と接点部の構成部品とを基部に対して互いに反対側から組み付けるようにしたから、特許文献２の電磁継電器に比べて電磁石装置と接点部との間の沿面距離を拡大でき、したがって電磁石装置のコイルと継鉄との間に絶縁壁は配置されていない。しかし、このような構成においても、電磁石装置と接点部との間の絶縁作用をさらに向上させることが、特に高電圧負荷開閉用途において要望されている。
【０００７】
本発明の目的は、電磁石装置と接点部との間に所要の絶縁距離を確保できるとともに、外形寸法を増加させることなく電磁石の磁気吸引力を増大させることができ、以って高い構造信頼性及び安定した動作特性を有する電磁継電器を提供することにある。
【０００８】
本発明の他の目的は、そのような絶縁機能の向上効果を、タブ端子付きの電磁継電器において獲得することにある。
【課題を解決するための手段】
【０００９】
上記目的を達成するために、請求項１に記載の発明は、基部と、基部に組み込まれる電磁石装置と、電磁石装置から絶縁されて基部に組み込まれる接点部と、電磁石装置と接点部との間に配置され、電磁石装置の作用により移動して接点部を開閉動作させる操作部材とを具備し、基部が、電磁石装置を受容する第１凹部と、接点部を受容する第２凹部と、第１凹部と第２凹部とを互いに反対側に画定する隔壁とを備え、電磁石装置が、電磁石と、操作部材に取り付けられ、電磁石によって駆動される接極子とを備える電磁継電器において、接極子は、隔壁に局部的に形成される開口の近傍で電磁石から接点部に向かって延びる延長部分を備え、操作部材は、接極子の延長部分を受容して包囲する受容部を備え、基部は、隔壁から延長されて電磁石と接極子との間に介在する補助隔壁を備え、接点部が開成している間、操作部材の受容部が基部の補助隔壁に接触支持されること、を特徴とする電磁継電器を提供する。
【００１０】
請求項２に記載の発明は、請求項１に記載の電磁継電器において、操作部材は、基部に接近する側へ局部的に延設されて、電磁石装置と接点部との間の沿面距離を拡大する延長片をさらに具備する電磁継電器を提供する。
【００１１】
請求項３に記載の発明は、請求項１又は２に記載の電磁継電器において、接極子は、電磁石の鉄心端面に対向配置される第１部分と、第１部分に交差して電磁石のコイルの側方に配置される第２部分と、第１部分と第２部分とを互いに一体に連結する一対の連結腕部分とを備え、それら連結腕部分が互いに異なる寸法を有する電磁継電器を提供する。
【００１２】
請求項４に記載の発明は、接点部が、可動接点を担持する接点ばね要素を有する可動接点部材を備えて構成される請求項１〜３のいずれか１項に記載の電磁継電器において、電磁継電器の組立時に、可動接点部材の接点ばね要素と操作部材との衝突を緩和して操作部材の損傷を回避する案内片が、接点ばね要素に設けられる電磁継電器を提供する。
【００１３】
請求項５に記載の発明は、接点部が、一端の基板端子、他端のタブ端子及び中間の固定接点を有する固定接点部材と、一端の基板端子、他端のタブ端子及び中間の可動接点を有する可動接点部材とを備えて構成される請求項１〜４のいずれか１項に記載の電磁継電器において、接極子は、一端で電磁石の継鉄にスナップ式に嵌着される板ばねにより、電磁石に対し揺動可能に支持される電磁継電器を提供する。
【発明の効果】
【００１４】
請求項１に記載の発明によれば、操作部材の受容部が、基部の隔壁に局部的に形成される開口の近傍で電磁石から接点部に向かって延びる接極子の延長部分を受容して包囲するから、電磁石装置と接点部との間の沿面距離が拡大されるとともに、接点部の開成中に、基部の補助隔壁が操作部材の受容部を接触支持するように作用するから、電磁石装置における接極子と電磁石との間の沿面距離が拡大され、結果として電磁石装置と接点部との間の絶縁機能が向上する。
【００１５】
請求項２に記載の発明によれば、操作部材に設けた延長片が、基部の開口を含む空間領域内にある操作部材の表面積を拡大するから、電磁石装置と接点部との間の沿面距離が拡大されて、両者間の絶縁機能が向上する。
【００１６】
請求項３に記載の発明によれば、基部の第１凹部内で隔壁と電磁石装置との間に形成される遊休空間に対応して、接極子の一方の連結腕部分を他方の連結腕部分よりも大きく形成し、それにより、電磁石と接極子との間に確立される磁路の断面積を拡大することができるから、電磁継電器の外形寸法を増加させることなく、電磁石装置の磁気効率が向上する。
【００１７】
請求項４に記載の発明によれば、電磁継電器の組立時に、可動接点部材の接点ばね要素に設けた案内片が、操作部材と接点ばね要素の縁部分との衝突を緩和するから、接点ばね要素による操作部材の損傷が回避される。
【００１８】
請求項５に記載の発明によれば、板ばねが電磁石の継鉄にスナップ式に嵌着されるから、継鉄への板ばねの組み付け作業が簡略化され、作業性が向上する。
【発明を実施するための最良の形態】
【００１９】
以下、添付図面を参照して、本発明の実施の形態を詳細に説明する。全図面に渡り、対応する構成要素には共通の参照符号を付す。
図面を参照すると、図１は、本発明の一実施形態による電磁継電器１０の分解斜視図、図２及び図３は、電磁継電器１０を互いに反対の方向から示す正面図である。電磁継電器１０は、基部１２と、基部１２に組み込まれる電磁石装置１４と、電磁石装置１４から絶縁されて基部１２に組み込まれる接点部１６と、電磁石装置１４と接点部１６との間に配置され、電磁石装置１４の作用により移動して接点部１６を開閉動作させる操作部材１８と、これら構成部品を適正に組み立てた状態で収容する中空箱状のケース２０とを備えて構成される。
【００２０】
基部１２は、電気絶縁性の樹脂成形品からなり、電磁石装置１４を受容する第１凹部２２と、接点部１６を受容する第２凹部２４と、第１凹部２２と第２凹部２４とを互いに反対側に画定する隔壁２６とを備える。図４及び図５を参照してさらに詳述すると、基部１２は、平面視略矩形の頂板１２ａと、頂板１２ａの両短縁から頂板１２ａに直交して互いに平行に延設される一対の側板１２ｂと、頂板１２ａの一方の長縁から頂板１２ａに直交して各側板１２ｂの中間位置まで延設され、両側板１２ｂに連結される第２端板１２ｃと、頂板１２ａから互いに異なる距離だけ平行に離隔配置され、それぞれが側板１２ｂ及び第２端板１２ｃに連結される一対の中間板１２ｄと、第２端板１２ｃの反対側で両中間板１２ｄの一縁から中間板１２ｄに直交して各側板１２ｂの末端位置まで延設され、両側板１２ｂに連結される第１端板１２ｅとを一体に備える。
【００２１】
第１凹部２２は、両中間板１２ｄ、両側板１２ｂ及び第１端板１２ｅによって、図で基部１２の下方領域に画定され、それら板により電磁石装置１４を３方向から実質的に包囲する。第２凹部２４は、頂板１２ａ、両側板１２ｂ、第２端板１２ｃ及び両中間板１２ｄによって、図で基部１２の上方領域に画定され、接点部１６の主要部分を受容する袋状の溝の形態を有する。隔壁２６は、両側板１２ｂ、第２端板１２ｃ、両中間板１２ｄ及び第１端板１２ｅが協働して構成する絶縁壁であり、それら板の上記配置関係の結果として、第１凹部２２への電磁石装置１４の組み付け方向（図１に矢印αで示す）と、第２凹部２４への接点部１６の組み付け方向（図１に矢印βで示す）とが、互いに逆方向になるように規制する。このような構成により、隔壁２６は、電磁石装置１４と接点部１６との間に介在して両者間の電気的絶縁（沿面距離）を確保する。
【００２２】
電磁石装置１４は、電磁石２８と、電磁石２８によって駆動される接極子３０とを備える。電磁石２８は、巻枠３２と、巻枠３２に巻き付けて支持されるコイル３４と、コイル３４の中心軸線３４ａに沿って巻枠３２に取り付けられる鉄心３６とを備える。巻枠３２は、電気絶縁性の樹脂成形品であり、所定長さを有する図示しない中空の胴部と、胴部の長手方向両端に連結される一対の鍔部３２ａ、３２ｂとを一体的に有する。
【００２３】
コイル３４は、巻枠３２の胴部に導線の所要長さ部分を密に巻着して形成され、巻枠３２の両鍔部３２ａ、３２ｂの間に固定的に保持される。鉄心３６は、例えば磁性鋼から形成される柱状部材であり、その略円柱状の主部分が、コイル３４の中心軸線３４ａに同心配置されて巻枠３２の胴部内に固定的に受容される。鉄心３６の軸線方向一端には、コイル中心軸線３４ａに略直交する平坦な端面を有する頭部３６ａが一体的に設けられ、この頭部３６ａが巻枠３２の鍔部３２ａの外面上に露出して配置される。
【００２４】
電磁石２８の鉄心３６には、頭部３６ａの反対側の軸線方向他端に、コイル３４の周辺に磁路を形成する継鉄３８が、例えばかしめにより固定的に連結される。継鉄３８は、例えば磁性鋼から形成されるＬ字板状部材であり、その短板部分が巻枠３２の軸線方向他端側の鍔部３２ｂに沿って延設されるとともに、長板部分がコイル３４の側方に離間してコイル中心軸線３４ａに略平行に延設される。継鉄３８の長板部分の末端部３８ａは、鉄心３６の頭部３６ａに近接する軸線方向位置まで延長され、この末端部３８ａに隣接して、接極子３０が揺動可能に継鉄３８に支持される。なお、巻枠３２には、コイル３４の巻線端に接続される一対のコイル端子４０が設置される。
【００２５】
接極子３０は、例えば磁性鋼から形成されるＬ字板状部材であり、板ばね４２を介して継鉄３８に弾性的相対移動可能に支持されるとともに、一方の平板部分３０ａで鉄心３６の頭部３６ａに対向して配置される。板ばね４２は、継鉄３８と接極子３０との間で弾性ヒンジとして機能し、接極子３０の屈曲領域を継鉄３８の末端部３８ａに弾性的に押し付けて保持する。電磁石２８の非作動時には、接極子３０は、その平板部分３０ａが鉄心３６の頭部３６ａから所定距離だけ離れた復旧位置に静止保持される。電磁石２８が作動すると、磁気吸引力により接極子３０は、その屈曲領域を中心に平板部分３０ａが鉄心頭部３６ａに近する方向へ揺動する。接極子３０の他方の平板部分（すなわち延長部分）３０ｂは、コイル側方に位置する継鉄３８の長板部分に沿って配置され、操作部材１８が、後述するようにして延長部分３０ｂに取り付けられる。
【００２６】
接点部１６は、固定接点４４を有する固定接点部材４６と、可動接点４８を有する可動接点部材５０とから構成される。固定接点部材４６は、導電性の板金材料から所定形状に打ち抜いて折曲形成され、一端のピン状の基板端子４６ａと、基板端子４６ａに略平行に延びる他端の平板状のタブ端子４６ｂと、両端子４６ａ、４６ｂに略直交する平板状の中間部分４６ｃと、基板端子４６ａと中間部分４６ｃとの間で中間部分４６ｃに略直交して直線状に延びる脚部分４６ｄとを備える。固定接点４４は、所望の接点材料から形成されて、中間部分４６ｃの基板端子４６ａ側の表面に、例えばかしめにより固定される。
【００２７】
可動接点部材５０は、導電性の板金材料から所定形状に打ち抜いて折曲形成され、一端のピン状の基板端子５０ａと、基板端子５０ａに略平行に延びる他端の平板状のタブ端子５０ｂと、両端子５０ａ、５０ｂに略直交する平板状の中間部分５０ｃと、基板端子５０ａと中間部分５０ｃとの間で中間部分５０ｃに略直交してクランク状に延びる脚部分５０ｄとを備える。中間部分５０ｃには、ばね用燐青銅等の薄板からなる接点ばね要素５０ｅが、例えばかしめにより片持ち式に連結されて、両端子５０ａ、５０ｂに略直交する方向へ延設される。可動接点４８は、所望の接点材料から形成されて、接点ばね要素５０ｅの自由端領域でタブ端子５０ｂ側の表面に、例えばかしめにより固定される。
【００２８】
固定接点部材４６は、中間部分４６ｃを基部１２の第２凹部２４に挿入して、基部１２に固定的に取り付けられる。また、可動接点部材５０は、中間部分５０ｃ及び接点ばね要素５０ｅを基部１２の第２凹部２４に挿入して、基部１２に固定的に取り付けられる。両接点部材４６、５０を基部１２上で適正位置に取り付けると、第２凹部２４内で固定接点４４と可動接点４８とが、図で上下方向へ互いに所定間隙を空けて対向配置される。可動接点４８は、後述するように接極子３０の揺動動作に対応して揺動変位し、その揺動方向に対向する固定接点４４に接触することによりメーク接点を閉成する。このように、図示実施形態による電磁継電器１０は、接点部１６にブレーク接点を有しない構成となっている。
【００２９】
図３に示すように、基部１２の頂板１２ａ及び一方の側板１２ｂには、固定接点部材４６の、中間部分４６ｃに隣接するタブ端子４６ｂの端縁領域及び脚部分４６ｄに隣接する中間部分４６ｃの端縁領域を、それぞれ密に受容するスリット５２が形成される。また、基部１２の一方の側板１２ｂには、固定接点部材４６の腕部分４６ｄを受容する溝５４が形成される。これにより固定接点部材４６は、固定接点４４を第２凹部２４内の所定位置に配置して基部１２上に保持される。同様に、基部１２の頂板１２ａ及び他方の側板１２ｂには、可動接点部材５０の、中間部分５０ｃに隣接するタブ端子５０ｂの端縁領域及び脚部分５０ｄに隣接する中間部分５０ｃの端縁領域を、それぞれ密に受容するスリット５６が形成される。また、基部１２の第１端板１２ｅには、可動接点部材５０の腕部分５０ｄを受容する溝５８が形成される。これにより可動接点部材５０は、可動接点４８を第２凹部２４内の所定位置に配置して基部１２上に保持される。
【００３０】
操作部材１８は、電気絶縁性の樹脂材料から一体成形される袋構造を有する板状部材であり、電磁石２８の鉄心頭部３６ａから離れた側の接極子３０の延長部分３０ｂに固定的に取り付けられる。図６及び図７に示すように、操作部材１８は、平面視略矩形の頂壁１８ａと、頂壁１８ａの一対の縁から頂壁１８ａに直交して互いに平行に延設される一対の側壁１８ｂと、頂壁１８ａの他の縁から頂壁１８ａに直交して延設され、両側壁１８ｂに連結される端壁１８ｃと、頂壁１８ａから平行に離隔配置され、頂壁１８ａの略半分の面積に渡って延設されて、両側壁１８ｂ及び端壁１８ｃに連結される底壁１８ｄとを有する。これら頂壁１８ａ、両側壁１８ｂ、端壁１８ｃ及び底壁１８ｄは、互いに協働して、接極子３０の延長部分３０ｂの先端領域を固定的に受容する受容部６０を画定する。また、頂壁１８ａには、受容部６０の反対側で外方に突出する突条６２が形成される。
【００３１】
図５に示すように、接極子３０の延長部分３０ｂは、基部１２の隔壁２６に局部的に形成される開口（すなわち一対の中間板１２ｄの間に形成される隙間）６４の近傍で、電磁石２８から接点部１６に向かって延びる。それに伴い、接極子３０の延長部分３０ｂに取り付けられた操作部材１８は、基部１２の両中間板１２ｄ間の開口６４を通して、第１凹部２２と第２凹部２４とに跨って配置される。つまり、隔壁２６の開口６４は、電磁石装置１４と接点部１６との間を作用的に関連付ける操作部材１８を配置するための、構造上必須の構成要素である。この状態で、操作部材１８の突条６２は、接点部１６の可動接点部材５０の接点ばね要素５０ｅに、図で下方から当接される。そして操作部材１８は、電磁石２８の励磁／非励磁に伴う接極子３０の揺動動作に連動して、コイル中心軸線３４ａ（図１）に接近／離反する方向へ揺動式に往復動作し、それにより接極子３０の揺動動作を、下記のように可動接点部材５０の接点ばね要素５０ｅに伝達する。
【００３２】
図２、図３及び図５に示す復旧位置においては、接極子３０はその平板部分３０ａが、板ばね４２及び可動接点部材５０の接点ばね要素５０ｅのばね力下で、鉄心３６の頭部３６ａから所定距離だけ離れた状態にある。このとき操作部材１８は、その揺動式往復移動範囲の一方の限界に置かれ、それにより、突条６２に当接された接点ばね要素５０ｅ上の可動接点４８が、固定接点部材４６の固定接点４４から所定距離だけ離れた位置に置かれる。この復旧位置から、電磁石２８が作動すると、磁気吸引力により接極子３０は、その平板部分３０ａが板ばね４０及び接点ばね要素５０ｅのばね力に抗して鉄心頭部３６ａに接近する方向へ揺動する。それに伴い操作部材１８は、接点ばね要素５０ｅに対し押圧力を発揮しながら、揺動式往復移動範囲の他方の限界に向けて移動して、接点ばね要素５０ｅを固定接点部材４６に接近するように弾性的に撓曲する。接極子３０の平板部分３０ａが鉄心頭部３６ａに完全吸着された時点で、操作部材１８は揺動式往復移動範囲の他方の限界に達し、可動接点４８が固定接点４４に導通接触して、メーク接点が閉成される。
【００３３】
上記構成を有する電磁継電器１０においては、前述したように基部１２の隔壁２６が、第１凹部２２への電磁石装置１４の組み付け方向と第２凹部２４への接点部１６の組み付け方向とを互いに逆方向になるように規制する形状を有することで、電磁石装置１４と接点部１６との間に所要の沿面距離を確保するようになっている。しかし、前述した各種部品の配置構成では、特に電磁石装置１４の接極子３０と接点部１６の固定接点４４及び可動接点４８との間の空間領域で、基部１２の隔壁２６が有効に機能しない（一対の中間板１２ｄ間に構造上必須の開口６４がある）ために、電磁石装置１４と接点部１６との間の絶縁機能がこの領域で低下する懸念がある。そこで、この空間領域における絶縁機能を向上させるために、電磁継電器１０では、本発明の特徴的構成である幾種類かの絶縁構造を採用している。
【００３４】
前述した操作部材１８の受容部６０は、そのような絶縁構造の１つとして作用する。すなわち、操作部材１８の受容部６０は、基部隔壁２６の開口６４に配置される接極子３０の延長部分３０ｂの先端領域を、頂壁１８ａ、両側壁１８ｂ、端壁１８ｃ及び底壁１８ｄによって袋状に包囲することにより、接極子３０と固定接点４４及び可動接点４８との間の沿面距離を拡大し、以って電磁石装置１４と接点部１６との絶縁機能を向上させるように作用する。このような構成によれば、例えば既述の特許文献２に開示されるような、接極子の延長部分を上方から覆うだけの従来構造の操作部材に比べて、電磁石装置１４と接点部１６との間の沿面距離をさらに効果的に拡大でき、絶縁機能を一層向上させることができる。
【００３５】
また、基部１２は、隔壁２６を構成する１つ（固定接点４４及び可動接点４８の図で下方に配置される側）の中間板１２ｄから、開口６４の近傍で水平に延長されて、操作部材１８と電磁石２８の継鉄３８との間に介在する補助隔壁６６をさらに備える（図４及び図５）。補助隔壁６６は、電磁石装置１４が非励磁状態にあって接点部１６が開成されているときに、操作部材１８の受容部６０を構成する底壁１８ｄを接触支持するように作用する。それにより、電磁石装置１４における接極子３０とコイル３４との間の沿面距離が拡大され、結果として電磁石装置１４と接点部１６との絶縁機能が向上する。このような構成によれば、例えば既述の特許文献３に開示されるような、接点部開成時に接極子の延長部分が継鉄に隣接配置される従来構造に比べて、電磁石装置１４と接点部１６との間の沿面距離をさらに効果的に拡大でき、絶縁機能を一層向上させることができる。
【００３６】
基部１２の補助隔壁６６は、第１凹部２２の内奥で第１端板１２ｅに沿って、開口６４の近傍でさらに局部的に延設される延長片６８を有する（図４及び図５）。延長片６８は、操作部材１８から露出する接極子３０の延長部分３０ｂと電磁石２８のコイル３４との間に局部的に介在して、両者間の沿面距離を拡大し、結果として電磁石装置１４と接点部１６との絶縁機能を一層向上させるように作用する。なお、基部１２に設けられる補助隔壁６６及び延長片６８はいずれも、電磁石装置１４と接点部１６とを基部１２に対して互いに反対側から組み付けるようにするために必須の構成要素である隔壁２６の一方の中間板１２ｄから、水平に延長して追加形成されるものであるから、例えば既述の特許文献３に開示される従来構造の電磁継電器に比べて、コイル設置空間が減少したりコイル径方向に見た電磁継電器１０の外形寸法（すなわち高さ方向寸法）が増加したりすることは回避される。
【００３７】
さらに、操作部材１８は、基部１２の開口６４の近傍で第１端板１２ｅに接近する側へ局部的に延設される延長片７０を有する（図６）。延長片７０は、基部１２の開口６４を含む空間領域内にある操作部材１８の表面積を拡大し、それにより、接極子３０と固定接点４４及び可動接点４８との間の沿面距離をさらに拡大して、電磁石装置１４と接点部１６との絶縁機能を一層向上させるように作用する。この延長片７０も、電磁継電器１０において必須の構成要素である操作部材１８から略水平方向へ延長形成されるものであるから、コイル設置空間を縮小したり電磁継電器１０の高さ方向寸法を増加させたりする惧れはない。
【００３８】
このように、上記構成を有する電磁継電器１０では、特に電磁石装置１４の接極子３０と接点部１６の固定接点４４及び可動接点４８との間の空間領域で、基部１２の隔壁２６に必然的に開口６４が形成されているにも関わらず、電磁石装置１４と接点部１６との間の沿面距離を、電磁継電器１０の外形寸法を増加させることなく効果的に拡大し、以ってこの空間領域における絶縁機能を向上させることができる。特に電磁継電器１０では、例えば既述の特許文献２に開示されるような、電磁石のコイルと継鉄との間に基部から延長される絶縁壁を介在させる従来構造に比べて、絶縁機能を低下させることなくそのような絶縁壁を排除できるので、外形寸法の増加を抑制しつつ、電磁石装置１４のコイル３４の設置空間を拡大して、電磁石２８の磁気吸引力を増大させることができる。さらに、電磁継電器１０は、接点部１６の固定接点部材４６及び可動接点部材５０の双方にタブ端子４６ｂ、５０ｂを備えて構成されるから、高電圧負荷開閉用途に適用できるものであり、特に既述の特許文献３に開示される従来のタブ端子付き電磁継電器に比べて、上記絶縁機能を一層効果的に向上させることができる。
【００３９】
電磁継電器１０においては、上記した絶縁機能の向上策に加えて、電磁継電器１０の組立工程における作業性の改善に寄与する種々の工夫が施されている。例えば、電磁石装置１４の接極子３０を電磁石２８に対し揺動可能に支持する板ばね４２は、図８及び図９に示すように、継鉄３８に取り付けられるその基端に、板厚方向へ貫通する取付孔７２を有する。他方、電磁石２８の外方に向けられた継鉄３８の表面には、所定位置に突起７４が設けられる。板ばね４２は、基端の取付孔７２を継鉄３８の突起７４にスナップ式に嵌着することにより、継鉄３８に片持ち式に固定される。このような構成によれば、板ばねがその基端で継鉄にかしめや溶接により固定される従来構造に比べて、継鉄３８への板ばね４２の組み付け作業が簡略化され、作業性が向上する。
【００４０】
また、電磁継電器１０の組立工程において、基部１２の第１及び第２凹部２２、２４にそれぞれ電磁石装置１４及び接点部１６を組み付ける際に、接極子３０に取り付けた操作部材１８の突条６２と可動接点部材５０の接点ばね要素５０ｅとが互いに干渉し、特に接点ばね要素５０ｅがその外縁で操作部材１８の突条６２に傷を付けることが懸念される。特に電磁継電器１０においては、操作部材１８と電磁石２８の継鉄３８との間に基部１２の補助隔壁６６が介在するので、上記組み付け作業中に操作部材１８が補助隔壁６６により可動接点部材５０の接点ばね要素５０ｅに接近する上方へ持ち上げられ、操作部材１８の突条６２と接点ばね要素５０ｅの外縁との衝突が生じ易くなる。そこで電磁継電器１０では、図１０に示すように、接点部１６の可動接点部材５０の接点ばね要素５０ｅに、基部１２の第２凹部２４の奥側で開口６４の近傍に配置される縁部分に沿って、局部的に外方へ突出する案内片７６を設けることが有利である。案内片７６は、基部１２の第１及び第２凹部２２、２４に電磁石装置１４及び接点部１６を組み付ける際に、操作部材１８の突条６２と可動接点部材５０の接点ばね要素５０ｅの縁部分との衝突を緩和して、突条６２を接点ばね要素５０ｅの下面側に円滑に案内し、操作部材１８の突条６２の損傷を回避するように作用する。
【００４１】
さらに、電磁継電器１０においては、上記した絶縁機能の向上策及び組立作業性の改善策に加えて、電磁石装置１４における磁気効率の向上に寄与する工夫も施されている。具体的には、電磁石装置１４の接極子３０は、電磁石２８の鉄心頭部３６ａに対向配置される第１部分すなわち平板部分３０ａと、電磁石２８のコイル３４の側方に配置される第２部分すなわち延長部分３０ｂと、平板部分３０ａと延長部分３０ｂとを互いに一体に連結する一対の連結腕部分３０ｃとを備えて構成される（図６、図７及び図１１参照）。これら連結腕部分３０ｃは、基部１２の第１凹部２２の奥側に配置される連結腕部分３０ｃの方が手前側に配置される連結腕部分３０ｃよりも、接極子３０の幅方向（コイル軸線に直交する方向）に見て大きな寸法を有する。このような構成は、基部１２の第１凹部２２内で第１端板１２ｅと電磁石装置１４との間に形成される遊休空間を利用して、電磁石２８と接極子３０との間に確立される磁路の断面積を拡大するものであり、結果として、電磁継電器１０の外形寸法を増加させることなく、電磁石装置１４の磁気効率を向上させるように作用する。
【００４２】
以上、本発明の好適な実施形態を説明したが、本発明はこれに限定されることなく、様々な修正を施すことができる。例えば、接点部がブレーク接点を有する電磁継電器においても、本発明の特徴的な絶縁構造を採用できることは言うまでもない。
【産業上の利用可能性】
【００４３】
本発明に係る電磁継電器は、電磁石装置の構成部品と接点部の構成部品とを、基部に対して互いに反対側から組み付けるようにした、優れた絶縁機能を有する電磁継電器として、種々の分野で利用できる。特に、電磁石装置と接点部とを互いに絶縁する基部の隔壁に、電磁石装置と接点部との間を作用的に関連付ける操作部材を配置するための構造上必須の開口が形成されている構成において、その開口を含む空間領域における絶縁機能を著しく向上させる特徴的絶縁構造を有する。このような優れた絶縁機能を有する本発明の電磁継電器は、高電圧負荷開閉用途に適用可能なタブ端子付き電磁継電器として、特に有利に適用できるものである。
【図面の簡単な説明】
【００４４】
【図１】本発明の一実施形態による電磁継電器の分解斜視図である。
【図２】図１の電磁継電器を、ケースを省略した状態で示す正面図である。
【図３】図２の電磁継電器を反対方向から示す正面図である。
【図４】図１の電磁継電器で使用される基部の斜視図である。
【図５】図２の電磁継電器の縦断面図である。
【図６】図１の電磁継電器で使用される接極子及び操作部材の斜視図である。
【図７】図６の接極子及び操作部材の縦断面図である。
【図８】図１の電磁継電器で使用される電磁石の斜視図で、（ａ）板ばねの装着前、及び（ｂ）板ばねの装着後の、各状態を示す。
【図９】図８の電磁石の縦断面図である。
【図１０】図１の電磁継電器で使用される可動接点部材の斜視図である。
【図１１】図１の電磁継電器で使用される電磁石装置の端面図である。
【符号の説明】
【００４５】
１０…電磁継電器
１２…基部
１４…電磁石装置
１６…接点部
１８…操作部材
２２…第１凹部
２４…第２凹部
２６…隔壁
２８…電磁石
３０…接極子
３４…コイル
３６…鉄心
３８…継鉄
４２…板ばね
４４…固定接点
４６…固定接点部材
４８…可動接点
５０…可動接点部材
６０…受容部
６４…開口
６６…補助隔壁
７０…延長片
７６…案内片
【図１】
2005071754.tif 000003
【図２】
2005071754.tif 000004
【図３】
2005071754.tif 000005
【図４】
2005071754.tif 000006
【図５】
2005071754.tif 000007
【図６】
2005071754.tif 000008
【図７】
2005071754.tif 000009
【図８】
2005071754.tif 000010
【図９】
2005071754.tif 000011
【図１０】
2005071754.tif 000012
【図１１】
2005071754.tif 000013